(57)【特許請求の範囲】
【請求項１】
中に動物を入れて保育する保育ケースにおいて、
内部空間に臨む内側パネルの表面に光触媒層を形成し、
内部空間に臨む内側パネルの内の底部のパネルの下側にカーボングラファイトシートを所定のパターン形状に打抜いて上下面から耐熱樹脂フィルムによって挟着して包んだ保温用の面状発熱体を配するようにし、
しかも下面に前記面状発熱体が配された底部のパネルの上側に、抗菌剤を固定するか、抗菌剤が混合された樹脂で加工するか、紡糸液中に抗菌剤を含ませた紡糸液で紡糸された繊維を用いた抗菌効果を有する保温用布を敷設したことを特徴とする動物用保育ケース。
【請求項２】
前記内側パネルが鋼板から構成されるとともに、その表面に焼付けまたは焼成によって光触媒層が形成されていることを特徴とする請求項１に記載の動物用保育ケース。
【請求項３】
光触媒層が酸化チタンであって、発生される活性酸素によって抗菌作用または殺菌作用を発現することを特徴とする請求項１に記載の動物用保育ケース。
【請求項４】
前記面状発熱体と前記底部のパネルとの間に蓄熱材層を介在させるようにしたことを特徴とする請求項１に記載の動物用保育ケース。
【請求項５】
前記面状発熱体がグラファイトシートであって、屈曲したパターン形状に打抜かれ、その両端に直接または配線パターンを介して電極が接続され、しかも周縁部から前記カーボングラファイトシートが露出しないように上下一対の耐熱樹脂フィルムによって挟着され、
該面状発熱体が底部パネルの下面に直接取付けられるか、セラミックボード上に装着するか、偏平なトレー状をなす樹脂ケース内に収納して底部パネルの下側に配されることを特徴とする請求項１に記載の動物用保育ケース。
【発明の詳細な説明】
【０００１】
【発明の属する技術分野】
本発明は動物用保育ケースに係り、とくに中に動物を入れて保育する動物用保育ケースに関する。
【０００２】
【従来の技術】
猫や犬等のペット、あるいは家畜が子供を産んだ場合には、母親である動物と一緒に生活するのが好ましいが、場合によっては母親から離して子供を保育しなければならない場合がある。ここで動物の子供は、生まれてから約６カ月の間は母親から受継いだ免疫性を有しているが、その期間を過ぎると免疫性を失う。
【０００３】
【発明が解決しようとする課題】
従ってとくに免疫性を失った後に劣悪な環境下で保育を行なうと、細菌による感染症に罹って病気になったり、ひどい場合には死ぬことになる。ところが動物の子供については、糞尿や人工乳、あるいは餌等によって保育環境が汚染される環境にある。従ってとくに免疫性を失うときに十分に清潔な環境を提供することができないという問題があった。
【０００４】
本発明はこのような問題点に鑑みてなされたものであって、動物のとくに子供を清潔な環境下で保育することが可能な動物用保育ケースを提供することを目的とする。
【０００５】
【課題を解決するための手段】
本願の主要な発明は、中に動物を入れて保育する保育ケースにおいて、内部空間に臨む内側パネルの表面に光触媒層を形成し、内部空間に臨む内側パネルの内の底部のパネルの下側にカーボングラファイトシートを所定のパターン形状に打抜いて上下面から耐熱樹脂フィルムによって挟着して包んだ保温用の面状発熱体を配するようにし、しかも下面に前記面状発熱体が配された底部のパネルの上側に、抗菌剤を固定するか、抗菌剤が混合された樹脂で加工するか、紡糸液中に抗菌剤を含ませた紡糸液で紡糸された繊維を用いた抗菌効果を有する保温用布を敷設したことを特徴とする動物用保育ケースに関するものである。ここで、前記内側パネルが鋼板から構成されるとともに、その表面に焼付けまたは焼成によって光触媒層が形成されてよい。また光触媒層が酸化チタンであって、発生される活性酸素によって抗菌作用または殺菌作用を発現するようにしてよい。また前記面状発熱体と前記底部のパネルとの間に蓄熱材層を介在させることが好ましい。また前記面状発熱体がグラファイトシートであって、屈曲したパターン形状に打抜かれ、その両端に直接または配線パターンを介して電極が接続され、しかも周縁部から前記カーボングラファイトシートが露出しないように上下一対の耐熱樹脂フィルムによって挟着され、該面状発熱体が底部パネルの下面に直接取付けられるか、セラミックボード上に装着するか、偏平なトレー状をなす樹脂ケース内に収納して底部パネルの下側に配されることが好ましい。
【０００６】
動物用保育ケースの内側パネルの表面に光触媒層を形成すると、この光触媒層が有する殺菌および抗菌作用によって、細菌の発生や増殖を抑えることができる。また光触媒層の防臭効果によって防臭性を保持し、さらには化学物質分解性能や大気浄化および水質浄化の性質を利用して、保育ケースの内側を清潔な環境下に維持することが可能になる。また底部のパネルの下側に面状発熱体を配するとともに、この面状発熱体によって保育ケースの内部を保温することが可能になる。
【０００７】
【発明の実施の形態】
図１および図２は本発明の一実施の形態の動物用保育ケースの全体の外観を示すものであって、この動物用保育ケースはほぼ直方体状をなし、上部が開口した箱状に形成されている。すなわちこの保育ケースは扉を兼ねる前面板４１と、左側側板４２と、右側側板４３と、背面板４４とによって４辺が構成される。また底部側には底面板４５が設けられており、もその中に動物の子供を入れて保育するようになっている。
【０００８】
前面板４１の底部は底面板４５の前端部に回動自在に連結されるとともに、前面板４１の両側にシム付きのファスナテープ４７が取付けられている。このファスナテープ４７と左右両側板４２、４３の前面側の縁の部分に取付けられているシム付きファスナテープ４８との間をスライダ４９が移動することによって、前面板４１の左右両端が左右両側板４２、４３の前端部に開閉自在に連結されることになる。
【０００９】
図１は前面板４１を閉じてファスナテープ４７、４８をスライダ４９で結合した状態を示している。これに対して図２はスライダ４９を下に移動させてファスナテープ４７、４８を分離し、これによって前面板４１を開くようにした状態を示している。
【００１０】
図３はこのような動物用保育ケースの内部の構造を断面で示したものであって、前面板４１、左右両側板４２、４３、背面版４４は何れも内側パネル１０とキャンバス１１とから構成されている。すなわちキャンバス１１の内側に内側パネル１０を接合するとともに、この内側パネル１０の上縁をキャンパス１１の上端から外側に折返して折返し部分１２を形成した構造になっている。ここで内側パネル１０が後述する鋼板によって構成される。
【００１１】
底面板４５を構成する内側パネル１０の下面にはキャンバスが取付けられず、その代りに図４Ａに示す面状発熱体３０が取付けられるとともに、この面状発熱体３０の下側にはさらに底板５２が装着されるようになっている。そして上記底面板４５を構成する内側パネル１０の上側に保温用布５１が敷設される。
【００１２】
図４Ｂは底部の面状発熱体３０の取付け構造の変形例を示しており、ここでは面状発熱体３０と底面板４５を構成する内側パネル１０との間に蓄熱材層５５を介在させるようにしており、これによって面状発熱体３０からの熱をまんべんなくしかも緩やかに底面板４５の上側の保温用布５１に伝えるようにしている。
【００１３】
図５および図６はこのような保育ケースの内側パネル１０の構造を示すものであって、ここでは鋼板１５が素材として用いられるとともに、鋼板１５の上下面にはそれぞれ化学処理層１６、１７が形成される。そして化学処理層１６、１７の外表面上にエポキシ樹脂層１８、１９が形成される。そして上側のエポキシ樹脂層１９の表面に光触媒層２０が形成される。
【００１４】
図７はこのような内側パネル１０の製造プロセスを示しており、鋼板１５に前処理を施して化学処理層１６、１７を形成する。そしてこの後に下側の化学処理層１７の下面にエポキシ樹脂層１９を下塗りして形成し、このエポキシ樹脂を焼成する。さらに反対側の化学処理層１６の表面にはエポキシ樹脂１８を上塗りして焼付けする。そしてこの後に上側のエポキシ樹脂層１８の表面に光触媒層２０を塗布して焼付けを行なう。
【００１５】
ここで鋼板１５の厚さとしては０．５〜５ｍｍ程度の厚さの鋼板が用いられてよい。なお鋼板としては亜鉛メッキ鋼板やステンレス鋼板が好適に用いられる。また鋼板に代えてアルミニウム合金板を使用することもできる。エポキシ樹脂層１８、１９は約３０〜１００μｍの厚さに塗布されることが好適である。また外表面上の酸化チタンの光触媒層２０の厚さは１０〜５０μｍの範囲内が好ましい。
【００１６】
図８および図９は別の内側パネルを示しており、ここでは鋼板１５の上下面にそれぞれニッケル処理による前処理層２４、２５を形成するとともに、上側の前処理層２４の上側に上引き層２６を、下側の前処理層２５の下側に下引き層２７を形成する。そして上側の上引き層２６の上側に光触媒層２０を形成している。ここで鋼板１５としてはホーロー用鋼板が用いられ、前処理層２４、２５はニッケル処理によって形成される。
【００１７】
図１０はこのようなルーフパネル１０の製造プロセスを示しており、鋼板１５の上下面にそれぞれ前処理層２４、２５を形成し、さらに前処理層２５の下側に下引き層２７を形成して焼成する。この後に上引き層２６を形成して焼成し、その上側に光触媒層２０を形成して焼成する。これによってホーロー鋼板が得られる。
【００１８】
ここで鋼板１５の厚さとしては０．５〜３．０ｍｍの厚さであることが好適である。また表面の下引き、すなわちホーローの膜厚は５０〜３００μｍの厚さとすることが好ましい。また上側の上引き層２６の表面にはその上に酸化チタン被膜２０が形成される。酸化チタン被膜２０と上引き層２６の厚さの合計は６０〜４００μｍの厚さとすることが好適である。これに対して下側のホーロー膜厚、すなわち下引き層２７は５０〜３００μｍの範囲内であってよい。
【００１９】
次に上記ルーフパネル１０の下側に取付けられる面状発熱体１１について説明する。図１１に示すように面状発熱体１１はグラファイトシートを用いるものである。すなわち天然鱗状黒鉛等の原料を浮遊選鉱し、さらに薬品処理を行なった後に濃硫酸と酸化剤との混酸によって酸処理を行なう。そしてこの後に膨張化処理を行なう。膨張化処理は炉内においてバーナで高温急加熱を行なうことにより達成される。そしてこの後にロール圧延を行なって成形する。これによってシート状のグラファイトシートが得られる。
【００２０】
このようなグラファイトシートを所定の形状、例えば図１１に示すような形状に打抜く。そしてこのシート３０の一端には直接電極３３を形成するとともに、反対側の端部には配線パターン３２を介して電極３４を接続する。そしてこのような電極３３、３４を設けたグラファイトシートを図１２に示すように上下一対の耐熱性樹脂フィルム３５によって挟着して包む。なお周縁部からグラファイトシート３１が露出しないようにする。
【００２１】
上記のような面状発熱体３０を図１２に示すようにそのままの状態で底面板４５を構成する内側パネル１０の下面に直接取付けるようにしてもよいが、このような面状発熱体３０を例えば図１３Ａに示すようなセラミックボード５７上に装着し、このセラミックボード５７によって面状発熱体３０を底板５２の上部に配置することも可能である。あるいはまた図１３に示すように偏平なトレイ状をなすエポキシ樹脂から成る樹脂ケース５８の内部に上記面状発熱体３０を収納してもよい。
【００２２】
図１２に示すような面状発熱体３０をそのままの状態、あるいはまた図１３Ａあるいは図１３Ｂに示すような支持体によって支持された面状発熱体３０を底面板４５を構成する内側パネル１０の下面に図３および図４に示すように配置する。これによってこの保育ケースの内部の保温を行なうことが可能になり、動物を適正な温度の下において保育できるようになる。
【００２３】
このように本実施の形態の保育ケースは、その前面板４１、左右両側板４２、４３、背面版４４、および底面板４５の内側パネル１０が何れも酸化チタンから成る触媒層２０を表面に備えている。このような光触媒層２０は電子と正孔を生じ、空気中の酸素と電子が水と正孔にそれぞれ反応する。そして酸化チタンの表面にスーパオキサイドイオンと水酸基ラジカルの２種類の活性酸素を発生させる。このような活性酸素によって殺菌作用、抗菌作用、防臭作用、大気浄化および水質浄化作用を発現する。
【００２４】
とくに光触媒の殺菌作用、抗菌作用、および防虫作用によって、この保育ケースの内部を清潔な状態に保持するとともに、雑菌の発生増殖を防ぐことが可能になり、これによって保育される動物が病気にかかり難くなる。また光触媒がセルフクリーニング機能を有しているために、内側パネル１０の内表面が汚れ難くなるとともに、汚れも簡単に除去することが可能になる。
【００２５】
また底面板４５の下側に配されている面状発熱体３０の電極３３、３４間に電圧を印加すると、グラファイトシート３１内を電流が流れ、ジュール熱によって発熱する。従ってこのような熱を利用してこの保育ケースの内部を保温できるようになる。ここでとくに図４Ｂに示すように面状発熱体３０と底面板４５の内側パネル１０との間に蓄熱材層５５を介装すると、熱の伝わり方が温和になってしかもまんべんなく保温することができ、動物に対して快適な環境を作出すことができる。
【００２６】
底面板４５の上に配される保温用布５１は抗菌効果を有する洗濯可能な布である。すなわち塩化ベンザルコニウム、ヘキサメチレンビグアミド塩酸塩、ポリヘキサメチレンビグアミド塩酸塩、有機シリコン系第四級アンモニウム塩、金属化合物等の抗菌剤を繊維の表面にある感応基に反応させて固定するか、抗菌剤と反応性樹脂を混合し、繊維表面に加熱硬化により樹脂加工するか、抗菌剤を紡糸液に含ませ、紡糸後熱処理して固定するようにした繊維から成る布を用いる。
【００２７】
従ってこのような保温用布５１もまた抗菌効果を発現することになり、これによって保育される動物を細菌や微生物あるいはカビから守ることができる。しかも汚損した場合には保温用布５１を別の布と交換するとともに、洗濯して繰返し使用することができる。
【００２８】
このような保育ケースは、犬、猫、等のペットの子供の保育に好適である。あるいはまた家畜の子供を母体から離した状態で保育するのに好適である。とくに出生後約６カ月を経過して免疫を失う時期に細菌症にかからないで保育することが可能な保育ケースになる。
【００２９】
【発明の効果】
本願の別の主要な発明は、中に動物を入れて保育する保育ケースにおいて、内部空間に臨む内側パネルの表面に光触媒層を形成し、内部空間に臨む内側パネルの内の底部のパネルの下側にカーボングラファイトシートを所定のパターン形状に打抜いて上下面から耐熱樹脂フィルムによって挟着して包んだ保温用の面状発熱体を配するようにし、しかも下面に面状発熱体が配された底部のパネルの上側に、抗菌剤を固定するか、抗菌剤が混合された樹脂で加工するか、紡糸液中に抗菌剤を含ませた紡糸液で紡糸された繊維を用いた抗菌効果を有する保温用布を敷設したものである。
【００３０】
従ってこのような動物用保育ケースによれば、光触媒層が有する殺菌作用および抗菌作用を利用して細菌の発生や増殖を抑え、保育される動物を細菌から保護することが可能になる。
【００３１】
面状発熱体と底部のパネルとの間に蓄熱材層を介在させるようにした構成によれば、面状発熱体からの熱を蓄熱材層を介してまんべんなくしかも穏やかに底部パネル上の保温用布に伝えることが可能になる。
【図面の簡単な説明】
【図１】保育ケースの外観斜視図である。
【図２】前面板を開いた状態の保育ケースの外観斜視図である。
【図３】保育ケースの縦断面図である。
【図４】底部の構造を示す要部拡大断面図である。
【図５】焼付け塗装型の内側パネルの拡大断面図である。
【図６】同パネルの一部を破断した同内側パネルの外観斜視図である。
【図７】同内側パネルの製造プロセスを示す斜視図である。
【図８】ホーロー系の鋼板から成る内側パネルの要部拡大断面図である。
【図９】同鋼板の一部を破断した要部拡大斜視図である。
【図１０】同製造プロセスを示す工程図である。
【図１１】面状発熱体の上側のフィルムを除いた状態の平面図である。
【図１２】面状発熱体の要部縦断面図である。
【図１３】変形例に係る面状発熱体の構成を示す要部断面図である。
【符号の説明】
１０  内側パネル
１１  キャンバス
１２  折返し部分
１５  鋼板
１６、１７  化学処理層
１８  エポキシ樹脂層（上）
１９  エポキシ樹脂層（下）
２０  光触媒層
２４  前処理層（上）
２５  前処理層（下）
２６  上引き層
２７  下引き層
３０  面状発熱体
３１  グラファイトシート
３２  配線パターン
３３、３４  電極
３５  耐熱樹脂フィルム
４１  前面板（扉）
４２  左側側板
４３  右側側板
４４  背面板
４５  底面板
４７、４８  ファスナテープ（シム付き）
４９  スライダ
５１  保温用布
５２  底板
５５  蓄熱材層
５７  セラミックボード
５８  樹脂ケース
【図１】
0003886809.tif 000002
【図２】
0003886809.tif 000003
【図３】
0003886809.tif 000004
【図４】
0003886809.tif 000005
【図５】
0003886809.tif 000006
【図６】
0003886809.tif 000007
【図７】
0003886809.tif 000008
【図８】
0003886809.tif 000009
【図９】
0003886809.tif 000010
【図１０】
0003886809.tif 000011
【図１１】
0003886809.tif 000012
【図１２】
0003886809.tif 000013
【図１３】
0003886809.tif 000014